(57)【要約】【課題】断熱性に優れた上に、下枠上面における外観意匠性及び結露水等の排水性に優れた下枠上面略フラットサッシの下枠構造の提供を目的とする。【解決手段】外障子及び内障子の下框より垂下片を垂下させて、下枠上面に設けた細い条状の外障子スライド溝及び内障子スライド溝にそれぞれ上記垂下片を嵌入させ、外障子スライド溝の室内側側壁を形成する下枠ベース部材から立設した立設片と、内障子スライド溝との間に位置する下枠上面を、上面部材で形成し、この上面部材は略Ｌ字型の断熱部材を介して下枠ベース部材に取り付けられ、この略Ｌ字型断熱部材は立上がり部と底部からなり、この立上がり部上方に、上面部材側壁から立設片との間に所定の隙間を残して突出させた覆い片を設けることで断熱部材の露出を防止した。【選択図】  図３
2005048514.tif 000002
【特許請求の範囲】
【請求項１】
建築物の屋外開口部に備えられた引違い障子からなるサッシの下枠上面を略フラットに形成するとともに、外障子及び内障子の下框より垂下片を垂下させて、下枠上面に設けた細い条状の外障子スライド溝及び内障子スライド溝にそれぞれ上記垂下片を嵌入させ、外障子スライド溝の室内側側壁を形成する下枠ベース部材から立設した立設片と、内障子スライド溝との間に位置する下枠上面を、上面部材で形成し、この上面部材は略Ｌ字型の断熱部材を介して下枠ベース部材に取り付けられ、この略Ｌ字型断熱部材は立上がり部と底部からなり、立上がり部は該立設片と該上面部材の間に位置し、底部が該ベース部材と該上面部材の底部の間に位置するように配設され、この略Ｌ字型断熱部材の立上がり部上方に、上面部材側壁から立設片との間に所定の隙間を残して突出させた覆い片を設けることで断熱部材の露出を防止したことを特徴とする下枠フラットサッシの下枠断熱構造。
【請求項２】
前記下枠ベース部材から立設した立設片と、前記上面部材との間に形成した所定の隙間の下部に位置する上面部材の側壁の一部を切り欠き、下枠上面に流れてきた水を前記所定の隙間から前記切り欠き部を経由する屋外への排水経路を形成したことを特徴とする請求項１記載の下枠フラットサッシの下枠断熱構造。
【請求項３】
前記略Ｌ字型断熱部材を長手方向に複数に分割し、かつ間隔を隔てて配設することにより、下枠上面に流れてきた水を前記下枠ベース部材から立設した立設片と、前記上面部材との間に形成した所定の隙間から前記略Ｌ字型断熱部材の欠落部を経由した屋外への排水経路を形成したことを特徴とする請求項１記載の下枠フラットサッシの下枠断熱構造。
【請求項４】
内障子スライド溝より室内側に位置する下枠上面に目板材を取り付け、目板材の上面室外側縁部と下枠上面の間に所定の隙間を形成し、この隙間から水が排水される排水経路を形成したことを特徴とする請求項１〜請求項３のいずれかに記載の下枠フラットサッシの下枠断熱構造。
【発明の詳細な説明】
【技術分野】
【０００１】
本発明は、引違い障子等の障子下框から垂下片を垂下し、この垂下片を下枠上面略フラットの下枠上面に形成したスライド溝に嵌入させ、バリアフリー性を向上させたサッシの下枠断熱構造に関する。
【背景技術】
【０００２】
外障子と内障子からなる引違い障子戸や引き違い窓において、従来の外障子用の突条状レールと内障子用の突条状レールとからなる下枠においては、この外障子用と内障子用のレール間に断熱部材を挿入連結した構造の断熱サッシ構造が知られている（特開２０００−３３７０２４号公報の図３参照）。
しかし、下枠上面を略フラットに形成するために、例えば図９に示すように、外障子下框及び内障子下框からそれぞれ垂下片を垂下させ、下枠上面に外障子用スライド溝及び内障子用スライド溝を形成した構造にすると、下枠上面は外障子スライド溝から室外側の部分Ａ、外障子スライド溝と内障子スライド溝との間の部分Ｂ、内障子スライド溝から室内側の部分Ｃの３つの部分に分けられることになる。
【０００３】
下枠を断熱構造にする場合に、図９（イ）に示すように内障子スライド溝を境にして断熱部材で熱伝導を遮断しようとしても、外障子と内障子が閉じた際には下枠上面のＢの部分は室内に露出することになり、この部分を遮断しないと熱伝導が大きく結露等の原因にもなる。
この外障子下框垂下片と内障子下框垂下片との間に挟まれた下枠上面は、障子のスライドをガイドし、外障子用走行部を構成する役割があることから、図９（ロ）に示すように外障子スライド溝を境にして断熱材を設けたり、この部分全体を樹脂等で形成するのは強度上弱いという課題が生じる。
更に、下枠上面は人が歩行したり車いす等が走行するので、樹脂等では傷が付きやすいという課題もある。
【０００４】
そこで本出願人は、下枠の強度や耐傷付性を確保しつつ断熱性に優れた下枠上面略フラットのサッシ構造を検討した。
本出願人が検討した下枠略フラットサッシ構造の下枠付近の拡大図を図８に示す。
外障子１５０の下框垂下片１５１ｅ及び内障子１６０の下框垂下片１６１ｅを垂下させて下枠上面に設けた細い条状の外障子スライド溝１１３ａ及び内障子スライド溝１１３ｂにそれぞれ上記垂下片を嵌入させた構造である。
この外障子スライド溝１１３ａと内障子スライド溝１１３ｂの間に位置する下枠上面を金属製からなる上面部材１１４で形成し、この上面部材は下枠ベース部材に断熱部材１１５ａ、１１５ｂを介して取り付けられている。
このように、外障子スライド溝と内障子スライド溝の間に配設した下枠上面部材と下枠のベース部材との間に断熱部材を設けることにより、下枠上面の強度と耐傷付性を確保しつつ下枠のスライド溝間の断熱性を確保している。
この構造では上面部材１１４の室外側に設けた断熱部材１１５ａ上端が下枠の上方空間に対して露出してしまうことになるが、この断熱部材１１５ａは上面部材１１４等周辺のアルミ形材と質感が異なるため、外観意匠性を損なっていた。
このため、断熱部材１１５ａを少しでも目立たせないように断熱部材１１５ａの上端は上面部材１１４の上面や立設片１８４上端部分よりも下方に設けられているが、立設片１８４と上面部材１１４の間の断熱部材１１５ａ上部の隙間１１８に、下枠上に落下した水が流れ込んで溜まる問題があった。
【０００５】
【特許文献１】特開２０００−３３７０２４号公報
【発明の開示】
【発明が解決しようとする課題】
【０００６】
本発明は上記技術的課題に鑑みて、障子下框から垂下片を垂下させ、下枠上面のスライド溝に嵌入させた引違い障子において、断熱性に優れた上に、下枠上面における外観意匠性及び結露水等の排水性に優れた下枠上面略フラットサッシの下枠構造の提供を目的とする。
【課題を解決するための手段】
【０００７】
請求項１記載の発明の技術的要旨は、建築物の屋外開口部に備えられた引違い障子からなるサッシの下枠上面を略フラットに形成するとともに、外障子及び内障子の下框より垂下片を垂下させて、下枠上面に設けた細い条状の外障子スライド溝及び内障子スライド溝にそれぞれ上記垂下片を嵌入させ、外障子スライド溝の室内側側壁を形成する下枠ベース部材から立設した立設片と、内障子スライド溝との間に位置する下枠上面を、上面部材で形成し、この上面部材は略Ｌ字型の断熱部材を介して下枠ベース部材に取り付けられ、この略Ｌ字型断熱部材は立上がり部と底部からなり、立上がり部は該立設片と該上面部材の間に位置し、底部が該ベース部材と該上面部材の底部の間に位置するように配設され、この略Ｌ字型断熱部材の立上がり部上方に、上面部材側壁から立設片との間に所定の隙間を残して突出させた覆い片を設けることで断熱部材の露出を防止した点である。
【０００８】
上面部材の室外側と、外障子スライド溝を形成している立設片との間の部分に位置する断熱部材の上方に、上面部材上方から上面部材の上面を延出する形状にて突出した板状の覆い片を、断熱部材を隠すように設けることで、断熱部材は上方から見えなくなる。
そして、立設片と上面部材との間の隙間は覆い片が突出することで狭められ、下枠上面の外観はアルミ形材の質感により統一される。
ここで、覆い片は立設片の手前までしか設けず立設片との間に隙間を設けているため、下枠ベース部材及び立設片と、上面部材との間に熱伝導体が存在せず、この部分は断熱されている。
【０００９】
請求項２記載の発明の技術的要旨は、前記下枠ベース部材から立設した立設片と、前記上面部材との間に形成した所定の隙間の下部に位置する上面部材の側壁の一部を切り欠き、下枠上面に流れてきた水を前記所定の隙間から前記切り欠き部を経由する屋外への排水経路を形成した点である。
【００１０】
覆い片は立設片との間に上面部材上からの排水が可能となる所定の隙間が設けられ、その隙間内の上面部材の室外側側壁の一部を切り欠き、下枠上面から隙間内に流れ込んだ水を上面部材内側へ流す切り欠き部を設けることで、上面部材上から、立設片と上面部材間の隙間を通り、上面部材室外側側壁の切り欠き部を経て上面部材内側へ流れる排水経路が形成される。
これにより、立設片と上面部材との間へ流れ込んだ水は、切り欠き部により上面部材内側へ流れる。
この時上面部材上に落下した水は上面部材を隙間に向けて僅かに傾斜させると隙間に流れやすくなり、より排水されやすくなる。
上面部材内に排水された水は他の結露水等の排水経路に合流し、下枠から屋外に排水される。
また、同様の排水経路を形成する手段として、前記略Ｌ字型断熱部材を長手方向に複数に分割し、かつ間隔を隔てて配設することにより、下枠上面に流れてきた水を前記下枠ベース部材から立設した立設片と、前記上面部材との間に形成した所定の隙間から前記略Ｌ字型断熱部材の欠落部を経由した屋外への排水経路を形成してもよい。
【００１１】
請求項４記載の発明の技術的要旨は、内障子スライド溝より室内側に位置する下枠上面に目板材を取り付け、目板材の上面室外側縁部と下枠上面の間に所定の隙間を形成し、この隙間から水が屋外へ排水される排水経路を形成した点である。
【００１２】
目板材の上面室外側縁部と下枠上面の間に設けた隙間部分に、水が排水される排水経路を設け、目板材上に落下した水を隙間から他の結露水等の排水経路に合流させて排水出来る。
また、この隙間は前記、上面部材と立設片間の隙間と略同一の幅とすることで意匠的統一を図ることが出来、意匠性が向上する。
なお、このように下枠に着脱可能な目板材を設けることで、その下の下枠凹部の加工がしやすくなる。
【発明の効果】
【００１３】
本発明に係る下枠フラットの断熱サッシ構造においては、上面部材と下枠ベース部材の間の断熱部材の露出部分を上方から覆う覆い片を設けているため、断熱部材は上方から見えなくなり下枠上面の外観はアルミ形材の質感に統一され、外観意匠に優れている。
その際、覆い片と下枠ベース部材間には断熱材の代わりに隙間を設けることで、上面部材と下枠ベース部材間の断熱性能を確保している。
【００１４】
上記隙間部分の上面部材側壁に上面部材内側へ通じる切り欠き部を設けることで、隙間部分に入った水を速やかに排水出来る。
【００１５】
内障子スライド溝より室内側に位置する下枠上面に目板材を取り付け、目板材の上面室外側縁部と下枠上面の間に隙間を形成し、その隙間から水が排水される排水経路を形成した場合、水が隙間に溜まる不具合も解消される。
【発明を実施するための最良の形態】
【００１６】
本発明に係るサッシ構造の縦断面図を図１に示し、その横断面図を図２に示す。
また、下枠部分の拡大図を図３に示す。
建築物の躯体開口部に下枠１０、上枠２０及び室内から室外側に向かって右縦枠３０、左縦枠４０にて略方形の枠体を形成し、その開口部に室外側から順に、網戸７０、外障子５０、内障子６０がスライド開閉可能に取り付けられている。
なお、網戸は必要に応じて取り付けられるものである。
また、図に示した引違い障子の場合には、外障子と内障子の２枚戸であるが、本発明は４枚戸等の引違い障子等にも適用される。
【００１７】
上枠２０は、強度が確保しやすいアルミ押出材等の金属製からなる上枠ベース部材２０ａと２０ｃを樹脂材等の断熱部材２０ｄで連結し、断熱と意匠性及び施工性を考慮して樹脂製の上枠室内部材２０ｂをその室内側に配設した構造になっている。
【００１８】
右縦枠３０及び左縦枠４０は、それぞれ金属製の縦枠ベース部材３０ａ、４０ａ、の室内側に樹脂製等の縦枠室内部材３０ｂ、４０ｂを連結した断熱構造になっている。
【００１９】
図３の拡大図に基づいて下枠構造を説明する。
下枠１０の下枠ベース部は、アルミニウム合金押出形材等の金属製の室外側下枠ベース部材１１と室内側下枠ベース部材１２とを、樹脂等の断熱部材１６にて連結して形成されている。
これにより、室外側下枠ベース部材１１と室内側下枠ベース部材１２間は断熱されている。
下枠ベース部材には、外障子５０の戸車５１ｃ及び内障子６０の戸車６１ｃが走行する小さな条状突起からなる擬似レール１９ａ、１９ｂが形成されている。
この擬似レール部分とは独立して分離出来るように、上面部材１４が下枠ベース部に着脱自在に取り付けられている。
下枠上面は、通常その上を通過する際に躓きや嵌り込みの原因となる凹凸のない略フラットに形成されている。
【００２０】
外障子５０の下框５１の室外側よりから外障子下框垂下片５１ｅが垂下され、下枠上面に形成した外障子スライド溝１３ａに嵌入するようになっている。
外障子スライド溝１３ａの室内側側壁上部にはタイト材８５が取り付けられ、外障子下框垂下片５１ｅの室内側との間をシールする。
外障子下框底部には戸車５１ｃが取り付けられ、擬似レール１９ａと当接回転するようになっている。
【００２１】
内障子６０は下框６１の室外側よりから内障子下框垂下片６１ｅが垂下され、下枠上面に形成した内障子スライド溝１３ｂに嵌入するようになっている。
内障子スライド溝１３ｂの室内側側壁上部にはタイト材８６が取り付けられ、内障子下框垂下片６１ｅの室内側との間をシールする。
内障子下框底部には戸車６１ｃが取り付けられ、擬似レール１９ｂと当接回転するようになっている。
【００２２】
上面部材１４は、室外側下枠ベース部材１１上部に第３立設片８３と第４立設片８４を設けて形成される凹部に、略Ｌ字型の断熱部材１５を介して室外側下枠ベース部材１１に取り付けられている。
この略Ｌ字型断熱部材１５は立ち上がり部１５ａと底部１５ｂからなり立ち上がり部１５ａは立設片８４と上面部材１４の間に位置し、底部１５ｂが室外側下枠ベース部材１１と上面部材１４の間に位置するように配設されている。
金属製の上面部材１４は、室外側下枠ベース部材１１との間を断熱部材１５により断熱されている。
これにより、この部分から熱伝導や結露の発生を防止している。
この上面部材１４は、少なくとも室内側に位置する部分が断熱されていればよい。
【００２３】
なお、この上面部材１４にて内障子６０の下框６１の室外側よりから垂下させた垂下片６１ｅがスライドする内障子用スライド溝１３ｂの室外側部を形成している。
このようにガイド部材を兼ねる上面部材１４が障子の戸車走行部より独立しているので、上面部材１４を引違い障子の開閉に対して左右の開口部と中央部に分割して取り付けると、障子を一方に寄せて交互に上面部材１４を取り外すことができる。
この場合に中央部の上面部材１４は、障子召合部に対応した長さにするのがよい。
【００２４】
上面部材室外側の側面部１４ｂと立設片８４の間には断熱部材１５の断熱部材立ち上がり部１５ａが設けられ、立設片８４部分と上面部材１４との間の断熱を行っている。
この断熱部材立ち上がり部１５ａの上方には、上面部材の側面部１４ｂ上端から覆い片１４ａが突出している。
そして覆い片１４ａは拡大図を図６（イ）に示すように、立設片８４との間に所定の隙間１４ｃを形成している。
断熱部材立ち上がり部１５ａは、その上方を覆い片１４ａで覆われることで下枠１０上面への露出部分はほとんどなくなっている。
これにより下枠上面の外観はアルミ形材の質感で統一され、外観意匠が向上している。
覆い片１４ａは立設片８４との間に隙間１４ｃを設けているため、上面部材１４と下枠ベース部材１１間の断熱は維持されている。
【００２５】
この上面部材１４の室外側側面部１４ｂには、側面図を図４（ロ）に示すように切り欠き部１４ｄが設けられている。
図４（イ）は上面部材１４の長手方向の断面図を示す。
これにより、上面部材１４上に落下して隙間１４ｃへ流れ込んだ水は断熱部材立ち上がり部１５ａ上方に溜まることなく隙間１４ｃの下部に位置する切り欠き部１４ｄを通り上面部材１４の内側へ流れ込む。
ここで、この排水は断熱部材１５を上面部材長手方向に断続して設けて、断熱部材の間部分を上面部材側面部１４ｂの切り欠き部１４ｄと連通させるのが良い。
上面部材１４の内側に流れ込んだ水は、図７に示すように上面部材下方のＡ１の位置に設けられた排水孔から断熱部材１５の間を通り、Ａ２の位置に設けられた排水孔を通り下枠ホロー部１１ａに一旦流れ込み、排水穴１８から屋外へ逆止弁１８ａを介するＡの経路で排水される。
このように、上面部材１４上面から隙間１４ｃ及び上面部材側面部１４ｂの切り欠き部１４ｄを通る排水経路が形成されることで、上面部材上からの排水性能は向上し、隙間１４ｃに水が溜まることを防止している。
ここで、上面部材１４上面は隙間１４ｃに向けて僅かに傾斜させると排水性能はさらに向上する。
【００２６】
図３において、内障子スライド溝１３ｂより室内側に位置する下枠上面１０ａには目板材９０が取り付けられている。
目板材９０付近の拡大図を図６（ロ）に示す。
目板材９０の上面室外側縁部９１と下枠上面１０ａの間には所定の隙間９０ａが形成されている。
図３において、この目板材９０下方には室内側下枠ベース部材１２と第１立設片８１、第２立設片８２により凹部１２ａが形成されている。
この凹部１２ａの側壁である第２立設片８２には図７に示すように第２立設片８２の下方Ｂ１の位置に排水孔が設けられ、凹部１２ａ内に流れ込んだ水は内障子スライド溝１３ｂへと流れ込む構造となっている。
また、目板材９０の側面図を図５（ロ）に示すように隙間９０ａ内に位置する目板材側面部９２には切り欠き部９０ｂが設けられている。
ここで図５（イ）は目板材９０の長手方向の断面図を示す。
これにより、図６（ロ）において目板材９０上から隙間９０ａに流れ込んだ水は切り欠き部９０ｂを通り凹部１２ａ内へと流れ込む。
ここで、目板材９０上面を隙間９０ａに向けて僅かに傾斜させると、目板材９０上から隙間９０ａに向けて水が流れやすくなる。
この隙間９０ａは、図３における隙間１４ｃと略同一の幅とすることで、下枠上面における意匠的統一感を得ることが出来る。
凹部１２ａ内に流れ込んだ水は、図７に排水経路Ｂとして示すようにＢ１の位置にある排水孔を通り内障子スライド溝１３ｂ内に流れ、ここで他の結露水等の排水経路と合流し、例えばＡの排水経路に合流し、Ａ２の排水孔を経由して下枠ホロー部１１ａに一旦流し込まれ、逆止弁１８ａを介して屋外へ排水される。
【図面の簡単な説明】
【００２７】
【図１】本発明に係る下枠フラットの断熱サッシ構造の縦断面図を示す。
【図２】下枠フラットの断熱サッシ構造の横断面図を示す。
【図３】下枠付近の拡大図を示す。
【図４】（イ）は上面部材の長手方向の断面図を示し、（ロ）は室外側方向から見た側面図を示す。
【図５】（イ）は目板材の長手方向の断面図を示し、（ロ）は室外側方向から見た側面図を示す。
【図６】（イ）は覆い片付近の拡大図を示し、（ロ）は目板材付近の拡大図を示す。
【図７】上面部材内と目板材を設けた凹部内からの排水経路を示す。
【図８】従来の断熱構造例を示す。
【図９】（イ）は従来の断熱構造例で内障子スライド溝位置に断熱材を設けた場合で、（ロ）は内障子スライド溝及び外障子スライド溝位置に断熱材を設けた場合を示す。
【符号の説明】
【００２８】
１０    下枠
１０ａ  下枠上面
１１    室外側下枠ベース部材
１１ａ  ホロー部
１２    室内側下枠ベース部材
１２ａ  凹部
１３ａ  外障子用スライド溝
１３ｂ  内障子用スライド溝
１４    上面部材
１４ａ  覆い片
１４ｂ  上面部材側面部
１４ｃ  隙間
１４ｄ  上面部材切り欠き部
１５    断熱部材
１５ａ  断熱部材立ち上がり部
１５ｂ  断熱部材底部
１６    断熱部材
１８    下枠排水穴
１８ａ  逆止弁
１９ａ、１９ｂ  擬似レール
２０    上枠
２０ａ、２０ｃ  上枠ベース部材
２０ｂ  上枠室内部材
２０ｄ  断熱部材
３０    右縦枠
３０ａ  右縦枠ベース部材
３０ｂ  右縦枠室内部材
４０    左縦枠
４０ａ  左縦枠ベース部材
４０ｂ  左縦枠室内部材
５０    外障子
５１    外障子下框
５１ｃ  外障子戸車
５１ｅ  外障子下框垂下片
６０    内障子
６１    内障子下框
６１ｃ  内障子戸車
６１ｅ  内障子下框垂下片
７０    網戸
８１    第１立設片
８２    第２立設片
８３    第３立設片
８４    第４立設片
８５、８６  タイト材
９０    目板材
９０ａ  隙間
９０ｂ  目板材切り欠き部
９１    目板材上面室外側縁部
９２    目板材側面部
【図１】
2005048514.tif 000003
【図２】
2005048514.tif 000004
【図３】
2005048514.tif 000005
【図４】
2005048514.tif 000006
【図５】
2005048514.tif 000007
【図６】
2005048514.tif 000008
【図７】
2005048514.tif 000009
【図８】
2005048514.tif 000010
【図９】
2005048514.tif 000011